(57)【要約】【課題】インクミストによる汚染を低減可能なインクジェット記録装置を提供することを目的とする。【解決手段】記録媒体を搬送する搬送部と、記録媒体にインクを吐出する複数の記録ヘッドと、複数の記録ヘッドが取り付けられたキャリッジを主走査方向に往復移動する記録ヘッド移動部とを備えたインクジェット記録装置であって、複数の記録ヘッドのうち、一の記録ヘッドと、一の記録ヘッドと別体でかつ一の記録ヘッドと離間して並列する他の記録ヘッドとの間が封鎖されており、複数の記録ヘッドの吐出面以外の外周囲を囲むように保護壁が設けられている。【選択図】図３
2013158992.tif 000002
【特許請求の範囲】
【請求項１】
記録媒体を搬送する搬送部と、
前記記録媒体にインクを吐出する複数の記録ヘッドと、
前記複数の記録ヘッドが取り付けられたキャリッジを主走査方向に往復移動する記録ヘッド移動部とを備えたインクジェット記録装置であって、
前記複数の記録ヘッドのうち、一の記録ヘッドと、前記一の記録ヘッドと別体でかつ前記一の記録ヘッドと離間して並列する他の記録ヘッドとの間が封鎖されており、
前記複数の記録ヘッドの吐出面以外の外周囲を囲むように保護壁が設けられていることを特徴とするインクジェット記録装置。
【請求項２】
前記記録ヘッドはヘッド本体とインクタンクが一体的に構成されたものであることを特徴とする請求項１に記載のインクジェット記録装置。
【請求項３】
前記一の記録ヘッドと前記他の記録ヘッドとの間の封鎖は、前記一の記録ヘッドと前記他の記録ヘッドとを連結するための連結部によってなされていることを特徴とする請求項１または２に記載のインクジェット記録装置。
【発明の詳細な説明】
【技術分野】
【０００１】
本発明は、インクジェット記録装置に関する。
【背景技術】
【０００２】
従来から、各種の記録媒体への画像の記録にインクジェット記録装置が用いられている。そして、インクジェット記録装置に関する提案がされている（例えば、特許文献１，２参照）。
【０００３】
特許文献１，２には、インクジェット記録ヘッドが開示されている。特許文献１，２のインクジェット記録ヘッドは、４つの記録素子基板Ｈ１１００を備える。特許文献１，２によれば、４つの記録素子基板Ｈ１１００のうち記録素子基板Ｈ１１００ａと記録素子基板Ｈ１１００ｃ、そして記録素子基板Ｈ１１００ｂと記録素子基板Ｈ１１００ｄとは、吐出口配列方向の同列上に並ぶ。
【０００４】
ここで、特許文献１によれば、記録素子基板Ｈ１１００ａと記録素子基板Ｈ１１００ｃの間と、記録素子基板Ｈ１１００ｂと記録素子基板Ｈ１１００ｄの間には、それぞれダミー基板Ｈ１６００が、記録素子基板の吐出口形成面と略同一の高さになるように配置されている。各基板間の隙間は封止材Ｈ１３０４により段差が生じないよう処理がされている。
【０００５】
特許文献２によれば、記録素子基板Ｈ１１００ａと記録素子基板Ｈ１１００ｃの間と、記録素子基板Ｈ１１００ｂと記録素子基板Ｈ１１００ｄの間にはそれぞれペルチェ素子等の冷却素子が形成された冷却素子基板Ｈ２０００が、記録素子基板の吐出口形成面と略同一の高さになるように配置されている。各基板間の隙間は封止材Ｈ１３０４により段差にならないよう処理がされている。
【０００６】
また、出願人も、インクジェット記録装置に関する提案をしている（例えば、特許文献３参照）。特許文献３のインクジェット記録装置は、記録ヘッド部を吐出インク処理部に対向する位置に移動させて選択されたインク吐出ヘッドのみサブタンク内のインクを加圧して吐出回復処理を行う。そして、記録ヘッド部を元の記録位置に戻す際に清掃処理部により残留インクを拭き取って吸引・除去する。
【０００７】
この他にも、各種の提案がされている（例えば、特許文献４，５，６参照）。なお、特許文献４には、アクチュエータユニットの上面には、給電部材であるＦＰＣが接合され主走査方向の一方に引き出されることが開示されている。特許文献５によれば、アクチュエータユニットに接合されたＦＰＣは、インクタンクの側面に沿って上方に引き出されている。このＦＰＣ上には、ドライバＩＣが設置されている。ＦＰＣには、ＦＰＣの延在方向に沿って配設された複数の信号線が形成されており、ドライバＩＣと表面電極（アクチュエータユニット）とを電気的に接続している。
【０００８】
また、特許文献６には、インクジェット式記録ヘッドを備えた記録装置は、インク滴を極少量のインク滴として飛翔させるため、インク滴がミスト化し易いという問題があることが開示されている。特許文献６によれば、このインクミストは装置内に浮遊しているので、キャリッジやハウジング等に付着してしまうと大粒のインク滴となり得る。大粒のインク滴になってしまうと、このインク滴は毛細管力等によって記録ヘッドとキャリッジとの隙間に浸入し、記録ヘッドを汚損する虞がある。
【先行技術文献】
【特許文献】
【０００９】
【特許文献１】特開２００７−２２０３７号公報
【特許文献２】特開２００７−２２０３８号公報
【特許文献３】特開２００９−２０８４０８号公報
【特許文献４】特開平７−２２７９６６号公報
【特許文献５】特開２００６−４４１９６号公報
【特許文献６】特開２００４−２０３０６０号公報
【発明の概要】
【発明が解決しようとする課題】
【００１０】
インクジェット記録装置を用いた画像の記録（模様付け）は、ブロック塀を形成するコンクリートブロック、住宅等の建築物の外壁となる外装材等の産業資材を記録媒体とすることもできる。ところで、産業資材は、記録面に垂直な方向の厚みにばらつきを有する場合がある。また、記録面となる面に大きな凹凸を有する場合もある。従って、記録時に、記録ヘッドと産業資材の記録面とが接触しないようにする必要がある。そのため、記録ヘッドにおいて吐出口（ノズル）が形成されたインク吐出面と、産業資材の記録面とは、接触防止を考慮して相当程度離間される。例えば、両者間のギャップは、５ｍｍ〜１０ｍｍ程度又は十数ｍｍ程度離れた状態に設定される。
【００１１】
ここで、記録ヘッドのインク吐出面と記録面との間を離すと、記録ヘッドから吐出されたインクの飛翔距離が長くなる。そのため、吐出されたインクのサテライト及び／又はインク滴の分裂によって、インクがミスト化し易くなる。
【００１２】
インク吐出面に付着するインクミストは定期メンテナンスで除去可能である。ところで、インクジェット記録装置は、その構造が複雑である。そのため、記録ヘッドの上部に設置された基板等の各種部品に、浮遊するインクミストが付着した場合、インクミストによって汚染された部品のメンテナンスが困難となることもある。また、インクミストが、基板等の各種部品に付着すると、インクによって基板等の各種部品に腐食が生じ、インクジェット記録装置の寿命が短くなる恐れもある。
【００１３】
本発明は、インクミストによる汚染を低減可能なインクジェット記録装置を提供することを目的とする。
【課題を解決するための手段】
【００１４】
上記従来の課題に鑑みなされた本発明の一側面は、記録媒体を搬送する搬送部と、前記記録媒体にインクを吐出する複数の記録ヘッドと、前記複数の記録ヘッドが取り付けられたキャリッジを主走査方向に往復移動する記録ヘッド移動部とを備えたインクジェット記録装置であって、前記複数の記録ヘッドのうち、一の記録ヘッドと、前記一の記録ヘッドと別体でかつ前記一の記録ヘッドと離間して並列する他の記録ヘッドとの間が封鎖されており、前記複数の記録ヘッドの吐出面以外の外周囲を囲むように保護壁が設けられているインクジェット記録装置である。
【００１５】
これによれば、画像の記録に際し吐出されたインクによるインクミストが、記録ヘッドやその上部に設置された基板等の各種部品に付着することを防止することができる。
【００１６】
このインクジェット記録装置は、次のようにすることもできる。すなわち、前記記録ヘッドはヘッド本体とインクタンクが一体的に構成されているようにしてもよい。これによれば、記録ヘッドやそれを取り付けるキャリッジをコンパクト（小型化・軽量化）にすることが可能となり、浮遊するインクミストの量を減らすことができる。
【００１７】
また、前記一の記録ヘッドと前記他の記録ヘッドとの間の封鎖は、前記一の記録ヘッドと前記他の記録ヘッドとを連結するための連結部によってなされているようにしてもよい。これによれば、好適に封鎖された状態を確保することができる。
【発明の効果】
【００１８】
本発明によれば、インクミストによる汚染を低減可能なインクジェット記録装置を得ることができる。
【図面の簡単な説明】
【００１９】
【図１】走査型のインクジェット記録装置の概略を示す図である。（ａ）は平面図であり、（ｂ）は正面図である。
【図２】インク吐出面側から視認した状態の記録部の概略を示す図である。
【図３】図１に示すＡ−Ａ線の概略断面図である。
【発明を実施するための形態】
【００２０】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００２１】
（インクジェット記録装置の構成）
インクジェット記録装置１００について、図１を参照して説明する。なお、図１は、インクジェット記録装置１００の概略構成を示した図である。インクジェット記録装置１００は、走査型のインクジェット記録装置である。インクジェット記録装置１００では、光の照射によって硬化する光硬化型インク、例えば、紫外線の照射によって硬化する紫外線硬化型インクが用いられ、これによって、所定の画像が、布帛、金属板、樹脂板、外壁材、その他の記録媒体２００に記録される。インクジェット記録装置１００は、記録ヘッド１１０と記録ヘッド移動部１２０と搬送部１３０と光照射部１４０と制御部１７０とを備える。なお、本実施例においては、紫外線硬化型インクを用いたインクジェット記録装置を例に説明するが、使用されるインクの種類についてはこれに限定されず、水系インク、溶剤系インクなども使用することができる。
【００２２】
記録ヘッド１１０には、光硬化型インクを吐出するノズルが、搬送部１３０で記録媒体２００がセットされる設置面１３２に対向して複数形成されている。例えば、図１では、例えば、シアン（Ｃｙａｎ）、マゼンタ（Ｍａｇｅｎｔａ）、イエロー（Ｙｅｌｌｏｗ）、ブラック（ｂｌａｃＫ）の色毎に、記録ヘッドユニットが搭載されている。
【００２３】
記録ヘッド移動部１２０は、記録ヘッド１１０が取り付けられたキャリッジ１１２を、主走査方向に往復移動（走査）する。これによって、記録ヘッド１１０の主走査方向への移動が実現される。搬送部１３０は、ベルトコンベアやフリーローラーのような回転体により構成され、搬送部１３０の設置面１３２にセットされた記録媒体２００を、主走査方向に直交する方向（搬送方向）に搬送する。
【００２４】
光照射部１４０は、記録ヘッド１１０より搬送方向下流側に設置される。光照射部１４０は、搬送部１３０の設置面１３２に向けて設置された光源を備え、設置面１３２方向に光を照射する。光照射部１４０は、例えば、光源から発せられた光が外部に照射されることを防止可能なシャッタ機構を備え、このシャッタ機構を開閉させることで、光の照射を開始し停止することができる。電源のオン、オフに連動して、素早く光を照射し、停止可能な光源（例えば、ＬＥＤ光源）を採用する場合、シャッタ機構を省略し、電源のオン、オフによって、光の照射を開始し停止させることもできる。なお、光照射部１４０は、記録ヘッド１１０とは独立した移動機構に取り付けられ、この移動機構を駆動させることで、主走査方向に往復移動することができる。
【００２５】
第１検知センサ１５０は、搬送部１３０によって搬送される記録媒体２００が記録開始位置に到達したことを検知するセンサである。第２検知センサ１６０は、記録ヘッド１１０より搬送方向下流側で、かつ光照射部１４０の搬送方向上流側の所定の位置に設置され、記録ヘッド１１０で所定の画像が記録された記録媒体２００が、この所定の位置に到達したことを検知するセンサである。第１検知センサ１５０と第２検知センサ１６０とは、例えば、発光素子と受光素子とを含む透過型センサによって構成される。
【００２６】
制御部１７０は、各種処理を実行し、上記各構成を制御する。制御部１７０は、各種の演算処理を実行するＣＰＵと、各種処理のためのプログラムを記憶するＲＯＭと、ＣＰＵが実行する各種処理の作業領域（記憶領域）として利用されるＲＡＭとを含む。ＣＰＵが、所定のプログラムをＲＯＭから読み出し、これをＲＡＭ上で実行することで、各種処理が実行され、上記各構成が制御される。したがって、制御部１７０が各種処理を実行し、上記構成を制御することで、各種機能部が構成される。
【００２７】
なお、インクジェット記録装置１００は、パーソナルコンピュータなどの外部装置と通信可能に接続するための接続インターフェースを備える。インクジェット記録装置１００は、この接続インターフェースを介して接続された外部装置から、柄データおよび搬送量データなどの所定のデータを受信する。
【００２８】
記録ヘッド１１０は、図２に示すような記録ヘッドユニット３２Ｋ，３２Ｃ，３２Ｍ，３２Ｙを含む。記録ヘッドユニット３２Ｋは、ブラックの紫外線硬化型インク（以下、「紫外線硬化型ブラックインク」ともいう。）を吐出する複数の記録ヘッドによって構成されている。図２に示す例では、６個の記録ヘッド３４Ｋ１〜３４Ｋ６によって構成されている。記録ヘッドユニット３２Ｃは、シアンの紫外線硬化型インク（以下、「紫外線硬化型シアンインク」ともいう。）を吐出する複数の記録ヘッドによって構成されている。図２に示す例では、６個の記録ヘッド３４Ｃ１〜３４Ｃ６によって構成されている。記録ヘッドユニット３２Ｍは、マゼンタの紫外線硬化型インク（以下、「紫外線硬化型マゼンタインク」ともいう。）を吐出する複数の記録ヘッドによって構成されている。図２に示す例では、６個の記録ヘッド３４Ｍ１〜３４Ｍ６によって構成されている。記録ヘッドユニット３２Ｙは、イエローの紫外線硬化型インク（以下、「紫外線硬化型イエローインク」ともいう。）を吐出する複数の記録ヘッドによって構成されている。図２に示す例では、６個の記録ヘッド３４Ｙ１〜３４Ｙ６によって構成されている。
【００２９】
記録ヘッド１１０（詳細には、後述するインク吐出面３４８）と、記録媒体２００の記録面との間のギャップは、５ｍｍ〜１０ｍｍ程度又は十数ｍｍ程度離れた状態に設定される。記録ヘッド１１０がキャリッジ１１２に取り付けられた状態において、設置面１３２に対向するキャリッジ１１２の面及び記録ヘッド１１０のインク吐出面３４８は、同一の平面内に含まれるように、同一の高さに設定される。
【００３０】
インクジェット記録装置１００は、この他、例えば、ブラック、シアン、マゼンタ及びイエローの紫外線硬化型インクをそれぞれ貯留したメインタンク（不図示）を備える。ブラック用のメインタンクに貯留された紫外線硬化型ブラックインクは、ブラック用のインク供給ライン（不図示）を介して記録ヘッドユニット３２Ｋの記録ヘッド３４Ｋ１〜３４Ｋ６に供給される。シアン用のメインタンクに貯留された紫外線硬化型シアンインクは、シアン用のインク供給ライン（不図示）を介して記録ヘッドユニット３２Ｃの記録ヘッド３４Ｃ１〜３４Ｃ６に供給される。マゼンタ用のメインタンクに貯留された紫外線硬化型マゼンタインクは、マゼンタ用のインク供給ライン（不図示）を介して記録ヘッドユニット３２Ｍの記録ヘッド３４Ｍ１〜３４Ｍ６に供給される。イエロー用のメインタンクに貯留された紫外線硬化型イエローインクは、イエロー用のインク供給ライン（不図示）を介して記録ヘッドユニット３２Ｙの記録ヘッド３４Ｙ１〜３４Ｙ６に供給される。
【００３１】
まず、搬送部１３０が動作を開始し、設置面１３２に載せ置かれた記録媒体２００の搬送が開始される。次に、記録ヘッド１１０において、紫外線硬化型ブラックインクによるブラックドットと、紫外線硬化型シアンインクによるシアンインクドットと、紫外線硬化型マゼンタインクによるマゼンタドットと、紫外線硬化型イエローインクによるイエロードットとが、記録媒体２００に記録される。記録に際しインクジェット記録装置１００では、吐出された紫外線硬化型インクによるインクミストが発生する。記録媒体２００が産業資材などの場合、記録面とのギャップを広く取る必要があり、記録面とのギャップが広くなるとインクミストが発生し易くなる。また、キャリッジが主走査方向に往復移動（走査）する走査型のインクジェット記録装置の場合には、往復移動により気流が発生するため、インクミストがより広範囲で発生し易くなる。
【００３２】
その後、さらに搬送部１３０によって記録媒体２００が搬送され、光照射部１４０において、記録面に紫外線が照射される。これによって、ブラックドット、シアンドット、マゼンタドット、イエロードットが硬化し、１個の記録媒体２００に対する画像の記録が終了する。なお、設置面１３２に記録媒体２００を所定のタイミングで順次載せ置き、これの搬送を開始し、上記処理を連続的に繰り返して実行することもできる。
【００３３】
（記録ヘッド）
記録ヘッド３４Ｋ１は、例えば図３に示すように、ヘッド本体３４２と、サブタンク３４４とを含む。記録ヘッド３４Ｋ１のヘッド本体３４２は、紫外線硬化型ブラックインクを吐出する複数の吐出口３４６を含む。複数の吐出口３４６は、千鳥状に配置されている。ヘッド本体３４２は、インク吐出面３４８を含む。インク吐出面３４８は、複数の吐出口３４６が形成された面であって、設置面１３２に載せ置かれた記録媒体２００の記録面に対向する面である。記録ヘッド３４Ｋ１のサブタンク３４４は、ブラック用のインク供給ライン（不図示）を介してメインタンク（不図示）から供給された紫外線硬化型ブラックインクを一時貯留する。貯留された紫外線硬化型ブラックインクは、サブタンク３４４とヘッド本体３４２とをつなぐ所定の流路（不図示）を通してヘッド本体３４２に供給され、吐出口３４６から吐出される。
【００３４】
例えば図３に示すように、記録ヘッド３４Ｋ１の側面のうち、主走査方向に交差、具体的には直交する２つの側面上部には、鍔部３５０が形成されている。鍔部３５０の所定の位置には、紫外線硬化型インクの吐出方向に一致する方向に貫通した貫通孔３５２が設けられている。なお、図３において吐出口３４６は図示を省略している。記録ヘッド３４Ｋ１〜３４Ｋ６は、それぞれ同一の構成を有する。また同様に、記録ヘッド３４Ｃ１〜３４Ｃ６、記録ヘッド３４Ｍ１〜３４Ｍ６、記録ヘッド３４Ｙ１〜３４Ｙ６についても、それぞれ同一の構成を有するので、説明は省略する。
【００３５】
なお、記録ヘッド１１０は、ブラック、シアン、マゼンタ及びイエローとは異なるインク色の記録ヘッドユニットを含むようにしてもよい。記録ヘッドユニット３２Ｋ，３２Ｃ，３２Ｍ，３２Ｙそれぞれを構成する記録ヘッド列数は、上記に限るものではなく、諸条件を考慮し適宜変更してもよい。１つの記録ヘッド列を構成する記録ヘッド数についても同じである。以下では、記録ヘッド３４Ｋ１〜３４Ｋ３による記録ヘッド列を、第１記録ヘッド列といい、記録ヘッド３４Ｋ４〜３４Ｋ６を第２記録ヘッド列という。記録ヘッド３４Ｃ１〜３４Ｃ３による記録ヘッド列を、第３記録ヘッド列といい、記録ヘッド３４Ｃ４〜３４Ｃ６を第４記録ヘッド列という。記録ヘッド３４Ｍ１〜３４Ｍ３による記録ヘッド列を、第５記録ヘッド列といい、記録ヘッド３４Ｍ４〜３４Ｍ６を第６記録ヘッド列という。記録ヘッド３４Ｙ１〜３４Ｙ３による記録ヘッド列を、第７記録ヘッド列といい、記録ヘッド３４Ｙ４〜３４Ｙ６を第８記録ヘッド列という。
【００３６】
ここで、記録ヘッド１１０において、第１記録ヘッド列及び第２記録ヘッド列は、主走査方向において幅Ｗ１だけ離間して並列している。このことは、第３記録ヘッド列及び第４記録ヘッド列と、第５記録ヘッド列及び第６記録ヘッド列と、第７記録ヘッド列及び第８記録ヘッド列とについても同様である。また、インク色が相違する、第２記録ヘッド列及び第３記録ヘッド列は、主走査方向において幅Ｗ２だけ離間して並列している。このことは、第４記録ヘッド列及び第５記録ヘッド列と、第６記録ヘッド列及び第７記録ヘッド列とについても同様である。なお、幅Ｗ１と幅Ｗ２とは、等しい又は何れか一方が他方より大きい（小さい）関係を有する。
【００３７】
記録ヘッド１１０において、各記録ヘッドは隣り合う各記録ヘッド列の間に配置された各記録ヘッド支持部材３６を介して連結されている。隣り合う各記録ヘッド列の記録ヘッド支持部材３６を介した連結は、例えば図３に示すようにねじ止めによって行われる。記録ヘッド支持部材３６は、図２及び図３から明らかな通り、板状の部材で、所定の位置に、連結のためのボルト３７がねじ込まれる雌ネジ部３６２が形成されている。記録ヘッド支持部材３６は、図２に示すように、記録ヘッドユニット３２Ｋ，３２Ｃ，３２Ｍ，３２Ｙの主走査方向と直交する方向の寸法と略同一の長さを有する。記録ヘッド支持部材３６は、図３に示すように所定の厚みｔを有する。また、第１記録ヘッド列及び第２記録ヘッド列、第３記録ヘッド列及び第４記録ヘッド列、第５記録ヘッド列及び第６記録ヘッド列、第７記録ヘッド列及び第８記録ヘッド列を連結する記録ヘッド支持部材３６は、例えば幅Ｗ１より僅かに狭い略同一の幅を有する。第２記録ヘッド列及び第３記録ヘッド列、第４記録ヘッド列及び第５記録ヘッド列、第６記録ヘッド列及び第７記録ヘッド列を連結する記録ヘッド支持部材３６は、例えば幅Ｗ２より僅かに狭い略同一の幅を有する。なお、記録ヘッド支持部材３６には、雌ネジ部３６２の他、厚み方向を貫通するような孔部は形成されていない。雌ネジ部３６２も記録ヘッド支持部材３６の途中までとし、記録ヘッド支持部材３６を貫通していなくてもよい。
【００３８】
また、記録ヘッド１１０の外周囲には、例えば図３に示すように、記録ヘッド１１０を囲うように保護壁３８が設けられており、これにより、主走査方向、主走査方向と直交する方向及び反吐出方向の３方面よりインクミストが内部に進入することがなく、基板等の各種部品への付着を防止することが出来る。さらに保護壁３８の一部、例えば、記録ヘッド移動部１２０側の面に穴を開け、電源ケーブル等の配線やインク供給ライン等のチューブをまとめて１本に束ね、そこから内部に引き込むことで、スペースの省力化が図れる。また、内部の温度上昇が懸念される場合には、保護壁３８の一部に冷却用のファンや空気の取込口などを設けてもよい。例えば空気の取込口を設ける場合には、内部へのインクミストの侵入を防ぐ目的で、その取込口にインクミスト捕獲用のフィルタを取付けるとよい。またさらには、反吐出方向側（記録ヘッド１１０上面側）の保護壁３８の一部もしくは全面を開閉できるようにすることで、ヘッド本体３４２やサブタンク３４４等の交換等も容易になり、メンテナンス性を向上することができる。
【００３９】
上述したようにインクジェット記録装置１００は、記録ヘッド１１０の主走査方向、主走査方向と直交する方向及び反吐出方向の３方向においては保護壁３８を設け、吐出方向においては記録ヘッド支持部材３６を介した連結構造を実現しており、そのため、インクジェット記録装置１００によれば、記録ヘッド１１０を全体的に封鎖した状態とすることができる。
【００４０】
以上説明した本実施形態の構成は、次のようにすることもできる。すなわち、図３に示す例では、記録ヘッド支持部材３６による連結が行われた状態において、連結された各記録ヘッド間（各記録ヘッド列間）に、幅Ｗ１又は幅Ｗ２の空間が残存している。記録ヘッド支持部材３６の厚みｔを厚くし、幅Ｗ１，Ｗ２の空間が残存しないようにしてもよい。この場合、記録ヘッド支持部材３６がボルト３７で締結された状態において、鍔部３５０と面接触する記録ヘッド支持部材３６の面の裏面が、インク吐出面３４８と同一平面となるように、記録ヘッド支持部材３６の厚みｔを設定するとよい。記録面に対向する記録ヘッド１１０の面が平面となり、インク吐出面３４８のワイピングつまりクリーニングを好適に行うことができる。
【００４１】
上記では、記録ヘッド支持部材３６を介して各記録ヘッド列を連結し、記録ヘッド支持部材３６によって記録ヘッド間空間を封鎖することとした。つまり、上記では記録ヘッド支持部材３６は、記録ヘッド間空間を封鎖する手段として機能した。ところで、このような封鎖は、記録ヘッド間空間に樹脂等を充填等して行ってもよい。樹脂は、図３に示すように幅Ｗ１，Ｗ２の空間の一部が残存するように充填され、又は幅Ｗ１，Ｗ２の空間の全部に充填される。さらに、インク色が異なる各記録ヘッド列の間（図２に基づけば、第２，第３記録ヘッド列の間、第４，５記録ヘッド列の間、第６，第７記録ヘッド列の間）を含め、搬送方向に隣り合う各記録ヘッド列を接近又は密着させるようにしてもよい。これらの場合、記録ヘッド支持部材３６等を省略することもできる。記録ヘッド３４Ｋ１〜３４Ｋ６，３４Ｃ１〜３４Ｃ６，３４Ｍ１〜３４Ｍ６，３４Ｙ１〜３４Ｙ６は、キャリッジ２０にそれぞれ固定される。なお、主走査方向に平行な側面同士の間についても、樹脂等を充填等し、この間を封鎖するようにしてもよい。
【００４２】
上記では、図２に示すように、記録ヘッド３４Ｋ１〜３４Ｋ６、記録ヘッド３４Ｃ１〜３４Ｃ６、記録ヘッド３４Ｍ１〜３４Ｍ６及び記録ヘッド３４Ｙ１〜３４Ｙ６が、それぞれ千鳥状に配置された位置関係で、直交方向にずれて配置された構成を例に説明した。このような場合、第１記録ヘッド列〜第８記録ヘッド列の、直交方向の何れか一方側に、所定の空間が形成される。具体的に、第１記録ヘッド列では、搬送方向に平行な記録ヘッド３４Ｋ３の両側面のうち、記録ヘッド３４Ｋ２と対向しない側面の側に、この所定の空間が形成される。また、第２記録ヘッド列では、搬送方向に平行な記録ヘッド３４Ｋ４の両側面のうち、記録ヘッド３４Ｋ５と対向しない側面の側に、この所定の空間が形成される。なお、説明は省略するが、第３記録ヘッド列〜第８記録ヘッド列についても同様である。
【００４３】
インクジェット記録装置１００では、このような所定の空間についても、封鎖するようにしてもよい。具体的に、例えば板状又はブロック状の部材（封鎖部材）を、この所定の空間に配置してもよい。この板状又はブロック状の部材は、記録ヘッド支持部材３６に、ねじ止め等の方法で固定される。なお、記録ヘッド３４Ｋ４，３４Ｃ３，３４Ｃ４，３４Ｍ３，３４Ｍ４，３４Ｙ３における所定の空間については、板状又はブロック状の部材は、これら所定の空間を介して隣り合う記録ヘッド支持部材３６を横断するように配置され、それぞれの記録ヘッド支持部材３６に固定される。この場合、板状又はブロック状の部材は、記録ヘッド支持部材３６の間に嵌め込むようにして固定してもよい。このような構成によれば、さらに好適な封鎖を実現することができる。
【符号の説明】
【００４４】
１００  インクジェット記録装置
１１０  記録ヘッド
１２０  記録ヘッド移動部
１３０  搬送部
２００  記録媒体
３２Ｋ  記録ヘッドユニット（ブラック用）
３２Ｃ  記録ヘッドユニット（シアン用）
３２Ｍ  記録ヘッドユニット（マゼンタ用）
３２Ｙ  記録ヘッドユニット（イエロー用）
３４Ｋ１〜３４Ｋ６  記録ヘッド（ブラック用）
３４Ｃ１〜３４Ｃ６  記録ヘッド（シアン用）
３４Ｍ１〜３４Ｍ６  記録ヘッド（マゼンタ用）
３４Ｙ１〜３４Ｙ６  記録ヘッド（イエロー用）
３４２  ヘッド本体，  ３４４  サブタンク，  ３４８  インク吐出面
３５０  鍔部
３６    記録ヘッド支持部材
３８    保護壁
【図１】
2013158992.tif 000003
【図２】
2013158992.tif 000004
【図３】
2013158992.tif 000005